(57)【要約】【課題】不織布等の布でできた布マルチを水田面に敷設するのを効率的に行える布マルチ敷設機を提供する。【解決手段】不織布等の布でできた布マルチＭをロール状に巻いた布ロールＲの中心に差し込んだ芯棒Ｓの両端部を回転可能に左右で支持する布ロール支持装置２を自走車体１の後部に昇降装置３を介して昇降可能に装着し、前記布ロールＲをその下端部が水田面に接地した状態と浮上した状態とに昇降可能に設け、前記布ロールＲが水田面に接地する状態で前進走行して布ロールＲを転動させて布ロールＲの外周側から布マルチＭを機体後方に繰り出させ水田面に布マルチＭを敷設する構成とした。また、布ロールＲから繰り出される布マルチＭを左右に切断する切断装置４を設けた。【選択図】図１ 
2005058141.tif 000002
【特許請求の範囲】
【請求項１】
不織布等の布でできた布マルチＭをロール状に巻いた布ロールＲの中心に差し込んだ芯棒ＣＳの両端部を回転可能に左右で支持する布ロール支持装置２を自走車体１の後部に昇降装置３を介して昇降可能に装着し、前記布ロールＲをその下端部が水田面に接地した状態と浮上した状態とに昇降可能に設け、前記布ロールＲが水田面に接地する状態で前進走行して布ロールＲを転動させて布ロールＲの外周側から布マルチＭを機体後方に繰り出させ水田面に布マルチＭを敷設する構成としたことを特徴とする布マルチ敷設機。
【請求項２】
布ロールＲから繰り出される布マルチＭを左右に切断する切断装置４を設けたことを特徴とする請求項１記載の布マルチ敷設機。
【請求項３】
前記切断装置４は、布ロールＲを水田面から浮上させたとき布ロールＲ外周から水田面に接地するまでの間で布マルチＭを切断する構成としたことを特徴とする請求項２記載の布マルチ敷設機。
【請求項４】
前記切断装置４は、布マルチＭを切断する左右に長い切断刃５と、切断箇所近傍の布マルチＭを支持するマルチ支持部材６とを備え、該切断刃５とマルチ支持部材６とを布マルチＭの切断箇所を挟んで前方側と後方側から布マルチＭの切断箇所に対して移動操作可能に設けたことを特徴とする請求項２記載の布マルチ敷設機。
【請求項５】
布マルチＭに液体を散布する液体散布手段７を設けたことを特徴とする請求項１記載の布マルチ敷設機。
【請求項６】
前記液体散布手段７は布マルチＭの敷設時下側になる面に散布する構成としたことを特徴とする請求項５記載の布マルチ敷設機。
【請求項７】
前記液体散布手段７は布マルチＭの左右両端部に散布する構成としたことを特徴とする請求項５記載の布マルチ敷設機。
【請求項８】
水田面に敷設された布マルチＭの左右両端部を下方に押付ける押付け手段８を設けたことを特徴とする請求項１記載の布マルチ敷設機。
【発明の詳細な説明】
【技術分野】
【０００１】
本発明は、不織布等の布でできた布マルチを水田面に敷設する布マルチ敷設機に関するものである。
【背景技術】
【０００２】
水稲栽培における除草作業の省力化、除草剤による環境悪化の防止等を図るため、下記特許文献１及び下記非特許文献１記載の技術が検討されている。下記特許文献１に示された技術は、水稲種子を水田面に播種した後に不織布を被せて栽培する技術であり、下記非特許文献１に示された技術は、二枚の不織布の間に播種して、それを水田面に敷設して栽培する技術である。そして、両文献では、不織布を水田面に敷設する場合、不織布をロール状に巻いた不織布ロールの中心に芯棒を差し込んで、この芯棒を人力或いは移動車で牽引して、不織布ロールを水田面上を転がして展開し、不織布を水田面に敷設するものであった。この栽培技術の今後の課題の一つとして、不織布の敷設作業の効率化がある。
【特許文献１】特開２０００−３０００８７号公報
【非特許文献１】山下淳・杉本秀樹・森照士「不織布マルチによる水稲直播・有機栽培の機械化に関する研究」農作業研究第３８巻別号１、第５頁〜第６頁、日本農作業学会、２００３年３月
【発明の開示】
【発明が解決しようとする課題】
【０００３】
本発明が解決しようとする課題は、上記栽培技術にあって、不織布等の布でできた布マルチを水田面に敷設するのを効率的に行える布マルチ敷設機を提供することである。
【課題を解決するための手段】
【０００４】
本発明は、上記課題を解決するために、以下の技術的手段を講じたものである。
請求項１記載の発明は、不織布等の布でできた布マルチＭをロール状に巻いた布ロールＲの中心に差し込んだ芯棒ＣＳの両端部を回転可能に左右で支持する布ロール支持装置２を自走車体１の後部に昇降装置３を介して昇降可能に装着し、前記布ロールＲをその下端部が水田面に接地した状態と浮上した状態とに昇降可能に設け、前記布ロールＲが水田面に接地する状態で前進走行して布ロールＲを転動させて布ロールＲの外周側から布マルチＭを機体後方に繰り出させ水田面に布マルチＭを敷設する構成としたことを特徴とする布マルチ敷設機としたものである。
【０００５】
請求項２記載の発明は、布ロールＲから繰り出される布マルチＭを左右に切断する切断装置４を設けたことを特徴とする請求項１記載の布マルチ敷設機としたものである。
請求項３記載の発明は、前記切断装置４は、布ロールＲを水田面から浮上させたとき布ロールＲ外周から水田面に接地するまでの間で布マルチＭを切断する構成としたことを特徴とする請求項２記載の布マルチ敷設機としたものである。
【０００６】
請求項４記載の発明は、前記切断装置４は、布マルチＭを切断する左右に長い切断刃５と、切断箇所近傍の布マルチＭを支持するマルチ支持部材６とを備え、該切断刃５とマルチ支持部材６とを布マルチＭの切断箇所を挟んで前方側と後方側から布マルチＭの切断箇所に対して移動操作可能に設けたことを特徴とする請求項２記載の布マルチ敷設機としたものである。
【０００７】
請求項５記載の発明は、布マルチＭに液体を散布する液体散布手段７を設けたことを特徴とする請求項１記載の布マルチ敷設機としたものである。
請求項６記載の発明は、前記液体散布手段７は布マルチＭの敷設時下側になる面に散布する構成としたことを特徴とする請求項５記載の布マルチ敷設機としたものである。
【０００８】
請求項７記載の発明は、前記液体散布手段７は布マルチＭの左右両端部に散布する構成としたことを特徴とする請求項５記載の布マルチ敷設機としたものである。
請求項８記載の発明は、水田面に敷設された布マルチＭの左右両端部を下方に押付ける押付け手段８を設けたことを特徴とする請求項１記載の布マルチ敷設機としたものである。
【発明の効果】
【０００９】
請求項１記載の発明は、昇降装置３によって布ロールＲが水田面に接地する状態に下降して自走車体１を前進走行させるだけで、布ロールＲは水田面上を転動して布ロールＲの外周側から布マルチＭが機体後方に繰り出されるので、布マルチＭの敷設作業を迅速に開始し、且つ、敷設作業を素早く行える。水田の畦付近で機体を旋回させるときには、昇降装置３によって布ロールＲを水田面から浮上させられるので、機体旋回時に布ロールＲが水田面上を引きずられてロールが乱れることがなく、次の敷設作業を迅速且つ適確に再開できる。従って、布マルチＭの敷設作業を能率良く適確に行える。
【００１０】
請求項２記載の発明は、水田の畦付近で機体を旋回させるときに、布ロールＲから繰り出される布マルチＭを切断装置４によって左右に切断できるので、次の敷設箇所への移動を素早く開始でき、布マルチＭの敷設作業を一層、能率良く行える。
【００１１】
請求項３記載の発明は、切断装置４が、布ロールＲを水田面から浮上させたとき布ロールＲ外周から水田面に接地するまでの間で布マルチＭを切断するので、機体旋回後に次の敷設作業を再開するときに、布マルチＭの端部を直ぐに接地させられ、迅速に敷設作業を再開できて、布マルチＭの敷設作業を一層、能率良く行える。
【００１２】
請求項４記載の発明は、切断装置４が、布マルチＭを切断する左右に長い切断刃５と、切断箇所近傍の布マルチＭを支持するマルチ支持部材６とを備え、該切断刃５とマルチ支持部材６とを布マルチＭの切断箇所を挟んで前方側と後方側から布マルチＭの切断箇所に対して移動操作可能に設けたので、布マルチＭの切断が確実に行えて、機体旋回後の次の敷設作業を迅速に再開でき、布マルチＭの敷設作業を一層、能率良く行える。
【００１３】
請求項５記載の発明は、布マルチＭに液体を散布する液体散布手段７を設けたので、敷設した布マルチＭが直ぐに水を含んで水田に貼り付くようになって風で流されたりめくれたりしにくくなり、布マルチＭの敷設状態の修正作業が少なくなって、これにより布マルチＭの敷設作業を一層能率良く且つ適確に行える。
【００１４】
請求項６記載の発明は、前記液体散布手段７は布マルチＭの敷設時下側になる面に散布する構成としたので、敷設した布マルチＭが更に迅速に水を含んで水田に貼り付くようになって、布マルチＭの敷設作業を一層能率良く且つ適確に行える。
【００１５】
請求項７記載の発明は、前記液体散布手段７は布マルチＭの左右両端部に散布する構成としたので、敷設した布マルチＭの左右両端部が直ぐに水を含んで水田に貼り付くようになって布マルチＭの左右端部から風が入り込みにくくなってめくれにくくなり、これにより布マルチＭの敷設作業を一層能率良く且つ適確に行える。
【００１６】
請求項８記載の発明は、水田面に敷設された布マルチＭの左右両端部を下方に押付ける押付け手段８を設けたので、布マルチＭの左右端部から風が入り込みにくくなってめくれにくくなり、これにより布マルチＭの敷設作業を一層能率良く且つ適確に行える。
【発明を実施するための最良の形態】
【００１７】
不織布等の布でできた布マルチを水田面に敷設する布マルチ敷設機を提供するという目的を、布マルチを効率的に敷設できるようにして実現した。
【実施例１】
【００１８】
本発明の一実施例である布マルチ敷設機を以下に説明する。
この布マルチ敷設機は、不織布等の布でできた二枚の布マルチＭの間に種子（種籾）Ｓを適宜間隔で蒔いたものをロール状に巻いた布ロールＲの中心に差し込んだ芯棒ＣＳの両端部を回転可能に左右で支持する布ロール支持装置２を自走車体１の後部に昇降装置３を介して昇降可能に装着し、前記布ロールＲをその下端部が水田面に接地した状態と浮上した状態とに昇降可能に設け、前記布ロールＲが水田面に接地する状態で前進走行して布ロールＲを転動させて布ロールＲの外周側から布マルチＭを機体後方に繰り出させ水田面に布マルチＭを敷設する構成としている。なお、一枚の布マルチＭをロール状に巻いた布ロールＲを水田面に敷設する場合には、この布マルチ敷設機の布マルチ敷設箇所の前側で水田面に種子（種籾）Ｓを播種する播種装置を装着するものとする。
【００１９】
自走車体１は、水田内を走行可能な走行車体で、機体を自走させるためにエンジンを搭載し、駆動回転する前後車輪９，９，１０，１０或は左右のクローラ等による走行用駆動回転体を備える。図示例のものは、乗用型田植機に装備されている乗用型の四輪走行車体で、車体上に操縦者が搭乗するためのステップ１１、搭乗した操縦者が着座するための座席１２、操縦者が操舵するための前輪９，９を操向するステアリングハンドル１３、昇降装置３を昇降駆動操作する操作装置１４を備える。
【００２０】
昇降装置３は、油圧シリンダ３ａ等の駆動装置によってリンク機構３ｂを昇降駆動するように設けた昇降リンク機構である。この昇降装置３の後部に、軸心が前後方向に向く連結軸１５を設け、この連結軸１５を介して左右ローリング動可能に前記布ロール支持装置２を装着している。従って、操縦者の操作装置１４の操作により前記布ロール支持装置２が昇降可能であり、これにより、布ロールＲをその下端部が水田面に接地した状態と浮上した状態とに昇降可能となる。また、布ロールＲを水田面に接地したとき、水田面が左右に傾斜していたり、自走車体１が左右に傾いている場合には、布ロール支持装置２が連結軸１５回りに左右ローリング動して、布ロールＲの下端部の左右両側が接地するようになっている。
【００２１】
布ロール支持装置２は、不織布等の布でできた布マルチＭをロール状に巻いた布ロールＲの中心に差し込んだ芯棒ＣＳの両端部を回転自在に支持する平面視コ字状の支持フレーム１６を備える。この支持フレーム１６の左右両側で後方にのびる左右フレーム部１６ａ，１６ａの後端部に芯棒ＣＳの左右両端部を着脱自在で且つ装着時に回転自在に支持する軸受部１６ｂ，１６ｂを設けている。従って、この布ロール支持装置２には、敷設作業を開始するとき、中心に芯棒ＣＳを差し込んだ布ロールＲが作業者によって装着され、敷設作業中に布マルチＭが無くなれば、芯棒ＣＳが取り外され、新たな布ロールＲに芯棒ＣＳが差し込まれて再びそれが装着され、敷設作業が続行される。
【００２２】
図示例では、布ロールＲは、外周側の布マルチＭが布ロールＲの前側から繰り出されるように装着する。このように装着すると、布ロールＲの下方箇所まで布マルチＭを水田面に敷設できるので、本敷設機による布マルチＭの敷設範囲を拡大できて、布マルチＭの敷設作業を一層能率よく行える。
【００２３】
また、図示例では、前の敷設作業走行で敷設した布マルチＭの隣接する左右一端部を上から押付ける前行程布マルチ押付け手段１７を、布ロールＲから繰り出された布マルチＭが水田面に接地する箇所の前側に設けている。これにより、布マルチＭの左右端部から風が入り込みにくくなってめくれにくくなり、これにより布マルチＭの敷設作業を一層能率良く且つ適確に行えるものとなっている。また、この前行程布マルチ押付け手段１７は、自走車体１の走行跡（車輪跡）を均すものとなっている。これにより、布マルチＭが水田面に一層密接するようになって、種籾から伸びた根が地面に確実に伸張し良好な栽培が行える。
【００２４】
従って、この布マルチ敷設機は、昇降装置３によって布ロールＲが水田面に接地する状態に下降して自走車体１を前進走行させるだけで、布ロールＲは水田面上を転動して布ロールＲの外周側から布マルチＭが機体後方に繰り出されるので、布マルチＭの敷設作業を迅速に開始し、且つ、敷設作業を素早く行える。水田の畦付近で機体を旋回させるときには、昇降装置３によって布ロールＲを水田面から浮上させられるので、機体旋回時に布ロールＲが水田面上を引きずられてロールが乱れることがなく、次の敷設作業を迅速且つ適確に再開できる。よって、布マルチＭの敷設作業を能率良く適確に行える。なお、図示例のように、現行程で敷設する布マルチＭと前行程で敷設した布マルチＭとの間に隙間が生じないように、水田内を往復作業走行する際、前行程の作業走行で敷設された布マルチＭの隣接する左右一端部の上に、現行程の作業走行で敷設される布マルチＭの左右一端部を重ねるようにして布マルチＭを敷設していく。
【００２５】
また、この布マルチ敷設機は、布ロールＲから繰り出される布マルチＭを左右に切断する切断装置４を設けている。この切断装置４は、布ロールＲの下方に繰り出された布マルチＭを布ロールＲの下方で切断する構成としている。更に、布ロールＲを水田面から浮上させたとき布ロールＲ外周から水田面に接地するまでの間で布マルチＭを切断する構成としている。また、この切断装置４は、布マルチＭを切断する左右に長い切断刃５と、切断箇所近傍の布マルチを支持するマルチ支持部材６とを備え、該切断刃５とマルチ支持部材６とを布マルチＭの切断箇所を挟んで前方側と後方側から布マルチＭの切断箇所に対して移動操作可能に設けたものとなっている。
【００２６】
図示例では、具体的に、切断刃５は、支持フレーム１６の左右フレーム部１６ａ，１６ａの後端部に横軸を介して回動可能に設けた左右の切断刃支持フレーム１８，１８の先端部に取付け、マルチ支持部材６も、支持フレーム１６の左右フレーム部１６ａ，１６ａの後端部に横軸を介して回動可能に設けた左右のマルチ支持部材用支持フレーム１９，１９の先端部に取付け、切断刃支持フレーム１８，１８とマルチ支持部材用支持フレーム１９，１９の各回動取付部に、これらフレームの回動軸を回転中心とするギヤ２０，２０；２１，２１を取り付けて、これらのギヤを左右それぞれで互いに噛み合わせて設け、両支持フレーム１８，１８；１９，１９が互いに前後反対方向に回動するように連動する構成としている。そして、これらの支持フレーム１８，１８；１９，１９を回動操作する操作具２２を設け、この操作具２２の操作によって、該切断刃５とマルチ支持部材６とが、布ロールＲから水田面に繰り出される布マルチＭから前後に離れた位置と、その布マルチＭに向かって回動して切断刃支持フレーム１８，１８とマルチ支持フレーム１９，１９の各先端部が布マルチＭを前後から挟み込むようにして前後に突き当たる位置とに移動操作可能に設けている。切断刃支持フレーム１８，１８とマルチ支持フレーム１９，１９の各先端部が突き当たると、マルチ支持部材６に設けた爪や針などの係合突起６ａ，６ａ…が、布マルチＭの切断箇所の上下両側近傍箇所に突き刺さるなどして係合し、布マルチがたるまないように支持するとともに、前後反対側から切断刃５が布マルチＭに当たって布マルチＭを切断する。なお、切断刃は、マルチ支持部材６側にも設けても良いし、マルチ支持部材は、切断刃側にも設けても良く、この場合、ゴム等の弾性部材で両側から挟み込むようにして支持する構成としても良い。
【００２７】
よって、この布マルチ敷設機は、水田の畦付近で機体を旋回させるときに、切断装置４によって布ロールＲから繰り出される布マルチＭを左右に切断できるので、次の敷設箇所への移動を素早く開始でき、布マルチＭの敷設作業を一層、能率良く行える。また、切断装置４は、布ロールＲの下方に繰り出された布マルチＭを布ロールＲの下方で切断する構成としているので、機体後端部より前側まで敷設できて敷設範囲が拡大され、布マルチＭの敷設作業を一層、能率良く行える。切断装置４が、布ロールＲを水田面から浮上させたとき布ロールＲ外周から水田面に接地するまでの間で布マルチＭを切断するので、機体旋回後に次の敷設作業を再開するときに、布マルチＭの端部を直ぐに接地させられ、迅速に敷設作業を再開できて、布マルチＭの敷設作業を一層、能率良く行える。更に、切断装置４が、布マルチＭを切断する左右に長い切断刃５と、切断箇所近傍の布マルチを支持するマルチ支持部材６とを備え、該切断刃５とマルチ支持部材６とを布マルチＭの切断箇所を挟んで前方側と後方側から布マルチＭの切断箇所に対して移動操作可能に設けたので、布マルチＭの切断が確実に行えて、機体旋回後の次の敷設作業を迅速に再開でき、布マルチＭの敷設作業を一層、能率良く行える。
【００２８】
なお、水田の畦付近で布マルチＭを切断するとき、機体を旋回する区域、所謂枕地に後で布マルチＭを敷設し易いように、図３に示すように、その区域に相当する長さ分だけ余計に布ロールＲから繰り出しておいてから切断すると良い。そうすれば、機体を旋回させた後に、余分に繰り出しておいた布マルチＭを畦まで引っ張って展開するだけで、機体を旋回させた後の枕地の水田面に迅速に布マルチＭを敷設することができ、布マルチＭの敷設作業を一層、能率良く行える。なお、布マルチＭをロール巻き方向設定間隔ごとに目印を付けたものとしたり、布マルチ支持装置に布マルチＭの繰出し長さを表示する表示装置を設けると、上記の際に繰り出す布マルチＭの長さを適確な長さにして切断することが容易に行なえ、敷設作業が効率よく行える。
【００２９】
ところで、紡績行程で発生する落綿から製造した油分を含む不織布を布マルチＭとして使用した場合、この布マルチＭは水を含みにくく水面に浮かんでなかなか沈まない。このため、水田面に敷設した布マルチＭが風で流されたりめくれたりすることがある。しかし、本例では、布マルチＭに水等の液体を散布する液体散布手段７を設けているので、敷設した布マルチＭが直ぐに水を含んで水田に貼り付くようになって風で流されたりめくれたりしにくくなって、布マルチＭの敷設状態の修正作業が少なくなり、これにより布マルチＭの敷設作業を一層能率良く且つ適確に行える。散布する液体に、界面活性剤を含ませておくと、油分を含む不織布でも水を含みやすくなり、水田面への敷設作業が一層適確に行なえる。また、この液体散布手段７は布マルチＭの敷設時下側になる面に散布する構成としたので、敷設した布マルチＭが更に迅速に水を含んで水田に貼り付くようになって、布マルチＭの敷設作業を一層能率良く且つ適確に行える。
【００３０】
また、この液体散布手段７を布マルチＭの左右両端部に散布する構成とすると、敷設した布マルチＭの左右両端部が直ぐに水を含んで水田に貼り付くようになって布マルチＭの左右端部から風が入り込みにくくなってめくれにくくなり、これにより布マルチＭの敷設作業を一層能率良く且つ適確に行える。特に、前行程で敷設した布マルチＭの左右一端部の上に現行程で敷設する布マルチＭの左右一端部を重ねて敷設する場合には、上側に重なった方の布マルチＭの左右端部は、水田面と直接接しないので水を含みにくい。しかし、上記のように液体散布手段７を布マルチＭの左右両端部に液体を散布するように構成することで、上下に重なった布マルチＭの左右端部が水を含んで風によるめくれが生じ難くなり、布マルチＭの敷設作業を一層能率良く且つ適確に行えるようになる。
【００３１】
液体散布手段７は、具体的には、水等の液体を貯留するタンクと、タンク内の液体を圧送するポンプと、ポンプによって圧送すされた液体を噴出するノズル７ａ，７ａと、タンクからポンプへの液体の移送、ポンプからノズルへの液体の移送を行うホースとを備える。
【００３２】
更に、この布マルチ敷設機は、水田面に敷設された布マルチＭの左右両端部を下方に押付ける押付け手段８を設けている。これにより、布マルチＭの左右端部から風が入り込みにくくなってめくれにくくなり、これにより布マルチＭの敷設作業を一層能率良く且つ適確に行えるものとなっている。これも、布マルチＭの左右端部を重ねて敷設した場合に、一層顕著な効果を奏するものとなる。図示例では、左右フレーム部１６ａ，１６ａの各後端部に取付け下方に回動する方向に付勢した左右の取付部材２３，２３の後端部に横軸回りに回転自在に押付けローラー２４，２４を設けて、この押付けローラー２４，２４が水田面に敷設された布マルチＭの左右両端部を下方に押付ける構成としている。なお、押付けローラー２４，２４の外周面には多数の突起２４ａ…，２４ａ…を設けていて、布マルチＭを水田土壌へ押込むように押付けており、布マルチＭの左右端部のめくれ防止がより確実に行えるようになっている。
【実施例２】
【００３３】
図４に別実施例の布マルチ敷設機を示す。この布マルチ敷設機は、自走車体１に昇降装置３を介して田植装置２５を装着し、田植装置２５に対して、連結フレーム２６を介して実施例１と同様の構成の布マルチ支持装置２、切断装置４、押付け手段８等を装着した構成のものである。これにより、既存の乗用型田植機を用いて布マルチ敷設機を構成でき、既存の財産を有効活用できるものとなる。なお、図４に示した構成で、実施例１と同じ構成のものは同じ符号を付している。
【実施例３】
【００３４】
図５に別実施例の布マルチ敷設機を示す。この布マルチ敷設機は、布マルチ支持装置２７を、布ロールＲの支持位置を左右に位置変更可能に設けた構成のものである。具体的には、布ロールＲの芯棒ＣＳ’の長さと支持フレーム１６’の左右の軸受部１６ｂ，１６ｂ間の間隔を、布ロールＲの左右幅Ｗ１と布ロールＲの左右移動幅Ｗ２とを加算した幅よりも大きく設定している。これにより、前行程の作業走行で敷設された布マルチＭの隣接する左右一端部の上に、現行程の作業走行で敷設される布マルチＭの左右一端部を重ねるようにして布マルチＭを敷設していくとき、自走車体１を前行程の作業走行で敷設された布マルチＭから離れた位置を走行して行えるようになり、自走車体１の走行による泥押し（車輪等の前進による泥押し）によって、前行程の作業走行で敷設された布マルチＭが浮き上がるようなことが生じにくくなり、布マルチＭの左右端部から風が入り込みにくくなってめくれにくくなり、よって、布マルチＭの敷設作業を一層能率良く且つ適確に行えるものとなっている。なお、図５に示した構成で、実施例１と同じ構成のものは同じ符号を付している。
【実施例４】
【００３５】
図６〜８に別実施例の布マルチ敷設機を示す。この布マルチ敷設機は、布マルチ支持装置２８は、布ロールＲを下側から支持し且つ駆動回転させる布マルチ支持装置２９を設けたものである。この布マルチ支持装置２９は、昇降装置３の連結軸１５に左右回動自在に連結する平面視コ字状の支持フレーム３０を設け、該支持フレーム３０の左右両側部に布ロールＲの芯棒ＣＳの両端部を上下動自在に支持する軸受部３１，３１（図示例では上下に長い長孔）を設け、該軸受部３１，３１に布ロールＲの芯棒ＣＳの両端部をセットしたとき布ロールＲの底面側を受けて支持し且つ駆動回転可能とする布マルチ支持回転装置（図示例では、布ロールＲの外周に沿うように複数配置した横軸の周りを駆動回転する左右幅広の無端ベルトを設けて構成）３２を設けた構成としている。図８に示すように、布ロールＲが駆動回転されて布マルチＭが繰り出されていくと布ロールＲの外径が小さくなっていくが、布ロールＲの芯棒ＣＳは、上記軸受部３１，３１において自重で下降していくので、布ロールＲの底面側が布マルチ支持回転装置３２に支持される状態は最後まで継続する。そして、布マルチ支持装置２９によって駆動回転されて繰り出された布マルチＭは、下方に設けた敷設ローラ３３によって水田面に押付けられながら敷設される構成としている。これにより、引張り強度の小さい不織布などの布マルチＭであっても、敷設作業中の布ロールＲの回転中に布マルチＭが千切れて敷設作業が中断することが生じにくくなり、布マルチＭの敷設作業を一層能率良く且つ適確に行えるものとなっている。ところで、布マルチ支持装置２９の上部には、装着された布ロールＲを覆う開閉自在のカバー３４を設けているので、雨天時に布ロールＲが濡れて、敷設作業中に布マルチＭが千切れて敷設作業が中断することが生じにくくなり、これによっても布マルチＭの敷設作業を一層能率良く且つ適確に行えるものとなっている。また、装着された布ロールＲの外周を覆うカバーを布マルチ支持装置に設けることにより、ロールＲの濡れ防止、敷設作業中の布マルチＭの千切れ防止を図ることは、前述の実施例１〜３においても実施できる技術である。なお、図６〜８に示した構成で、実施例１と同じ構成のものは同じ符号を付している。
【産業上の利用可能性】
【００３６】
畑作物の栽培でマルチシートを敷設して栽培する場合にも、この布マルチ敷設機を適用できる。
【図面の簡単な説明】
【００３７】
【図１】実施例１の布マルチ敷設機の側面図。
【図２】実施例１の布マルチ敷設機の平面図。
【図３】実施例１の布マルチ敷設機の布マルチ切断状態を示す部分側面図。
【図４】実施例２の布マルチ敷設機の側面図。
【図５】実施例３の布マルチ敷設機の平面図。
【図６】実施例４の布マルチ敷設機の後部の側面図。
【図７】実施例４の布マルチ敷設機の側面図。
【図８】実施例４の布マルチ敷設機の平面図。
【符号の説明】
【００３８】
１：自走車体
２：布ロール支持装置
３：昇降装置
Ｍ：布マルチ
Ｒ：布ロール
ＣＳ：芯棒
４：切断装置
５：切断刃
６：マルチ支持部材
７：液体散布手段
８：押付け手段
【図１】
2005058141.tif 000003
【図２】
2005058141.tif 000004
【図３】
2005058141.tif 000005
【図４】
2005058141.tif 000006
【図５】
2005058141.tif 000007
【図６】
2005058141.tif 000008
【図７】
2005058141.tif 000009
【図８】
2005058141.tif 000010